(57)【要約】【課題】状態の変化に応じて良好なアンテナ特性を確保し、複数の周波数帯に対応することができる携帯端末を提供すること。【解決手段】第１の回路部３８は、第１の信号源３３と、第１のアンテナ部３１に接続される第１の給電部３４と、第１の接続部３２に接続される第２の給電部３５と、第１の信号源３３に第１の給電部３４又は第２の給電部３５を切り替えて接続する第１の切替部３６と、第２の状態に遷移した場合に、第２の給電部３５と第１の信号源３３を接続するように第１の切替部３６を制御する第１の制御部３７とを有する。第１の遮断部３９は、第１の接続部３２と第１の回路部３８との間に配置され、第１の信号Ｓ１を遮断する。【選択図】図４
2010232923.tif 000002
【特許請求の範囲】
【請求項１】
第１の筺体と、
第２の筺体と、
前記第１の筺体に配置され、第１の接点を有する第１の導電部と、
前記第２の筺体に配置され、第２の接点を有する第２の導電部と、
前記第１の筺体と前記第２の筺体のいずれか一方に配置され、前記第１の接点を介して前記第１の導電部に接続される第１のグランド部と、前記第２の接点を介して前記第２の導電部に接続される第１の給電部と、前記第１の給電部に接続され、前記第２の導電部により共振される第１の高周波信号を処理する第１の信号処理部と、を有する第１の回路部と、を有し、
前記第１の導電部には、前記第２の導電部に重なり合う第１の領域が形成され、
前記第２の導電部には、前記第１の導電部に重なり合う第２の領域が形成され、
前記第１の導電部と前記第２の導電部の少なくとも一方には、前記第１の領域の前記第１の接点よりも一端側の領域又は前記第２の領域の前記第２の接点よりも他端側の領域への前記第１の高周波信号の伝送を遮断する第１の遮断部が接続される、ことを特徴とする携帯端末。
【請求項２】
前記第１の導電部の前記第１の接点よりも他端側の領域における前記第１の高周波信号の伝送経路長と前記第２の導電部の前記第２の接点よりも一端側の領域における前記第１の高周波信号の伝送経路長とは略同一である、ことを特徴とする請求項１に記載の携帯端末。
【請求項３】
前記第１の筺体と前記第２の筺体のいずれか一方に配置され、前記第１の接点と前記第２の接点のいずれか一方を介して前記第１の導電部と前記第２の導電部のいずれか一方に接続される第２のグランド部と、前記第１の接点と前記第２の接点のいずれか他方を介して前記第１の導電部と前記第２の導電部のいずれか他方に接続される第２の給電部と、前記第２の給電部に接続され、前記第１の導電部と前記第２の導電部のいずれか他方により共振される第２の高周波信号を処理する第２の信号処理部と、を有する第２の回路部と、を有し、
前記第１の導電部と前記第２の導電部の少なくとも一方には、前記第１の領域の前記第１の接点よりも他端側の領域又は前記第２の領域の前記第２の接点よりも一端側の領域への前記第２の高周波信号の伝送を遮断する第２の遮断部が接続される、ことを特徴とする請求項１又は請求項２に記載の携帯端末。
【請求項４】
前記第１の導電部の前記第１の接点よりも一端側の領域における前記第２の高周波信号の伝送経路長と前記第２の導電部の前記第２の接点よりも他端側の領域における前記第２の高周波信号の伝送経路長とは略同一である、ことを特徴とする請求項３に記載の携帯端末。
【請求項５】
前記第１の高周波信号の周波数と前記第２の高周波信号の周波数とは異なる周波数である、ことを特徴とする請求項３又は請求項４に記載の携帯端末。
【発明の詳細な説明】
【技術分野】
【０００１】
本発明は、スライド機構を有する携帯端末に関する。
【背景技術】
【０００２】
上面に操作部が形成されている第１の筐体と、上面にディスプレイ部が形成されている第２の筐体とから構成される携帯端末の一種である携帯電話機において、スライド機構を有するものがある。携帯電話機は、このスライド機構を利用して、ディスプレイ部が外部に露出するように第１の筐体と第２の筐体を互いに重ね合わせ、第２の筐体で第１の筐体の上面に形成されている操作部を覆う状態（以下、スライドダウン状態という。）にしたり、第２の筐体を第１の筐体に対して長手方向へスライドさせて第１の筐体の上面に形成されている操作部が露出する状態（以下、スライドアップ状態という。）にしたりすることができる。
【０００３】
このようなスライド機構を有する携帯電話機は、第１の筐体と第２の筐体をスライドさせることによって、スライドアップ状態においては、ディスプレイと操作部とが外部に露出する状態になるので、表示画面を視認しつつ、キー操作を行えるという利便性を発揮でき、かつ、スライドダウン状態においては、外観上、第１の筐体のディスプレイのみが外部に露出している状態になるので、省スペース化を図ることができる。さらに、ディスプレイがタッチセンサで構成されていたり、第２の筐体の上面に簡易的な操作部が形成されていれば、携帯電話機は、スライドダウン状態において、省スペース化を図りつつ、操作性も確保することができる。
【０００４】
このようなスライド機構を有する携帯電話機に対して、筐体内の回路基板や導体をアンテナとして用いる方法が提案されている（特許文献１を参照。）。図１０（ａ）、（ｂ）及び図１１（ａ）、（ｂ）は、携帯無線機２００の内部構造を模式的に示す断面図である。また、第１の筐体２０１は、操作部２０２と、回路基板２０３と、アンテナ２０４を備える。第２の筐体３０１は、操作部３０２と、ディスプレイ３０３と、回路基板３０４とを備えている。
【０００５】
特許文献１の第１の実施例によれば、携帯無線機２００は、スライドダウン状態（図１０（ａ））の場合には、アンテナ２０４と電気的に接続された接続部２０４ａが第２の筐体３０１の回路基板３０４と厚み方向に対して重ならない構成、すなわち高周波的に結合しない構成になっている。これにより、携帯無線機２００は、スライドダウン状態において、良好なアンテナ特性を得ることが可能である。
【０００６】
また、携帯無線機２００は、スライドアップ状態（図１０（ｂ））の場合には、アンテナ２０４と電気的に接続された接続部２０４ａを介して第２の筐体３０１の回路基板３０４に給電する構成になっており、回路基板３０４をアンテナ素子として利用する構成になっている。これにより、携帯無線機２００は、スライドアップ状態において、良好なアンテナ特性を得ることが可能である。図１０（ｂ）中の仮想線Ａは、接続部２０４ａと回路基板３０４とが接続されることにより、高周波電流が第１の筐体２０１側から第２の筐体３０１側へ供給される様子を模式的に示している。
【０００７】
また、特許文献１の第２の実施例によれば、概略はほぼ第１の実施例と同様であるが、携帯無線機２００は、スライドアップ状態（図１１（ａ））において、アンテナ２０４と第２の筐体３０１の回路基板３０４とを容量結合させることにより、回路基板３０４をアンテナ素子として利用する構成になっている。具体的には、携帯無線機２００は、スライドアップ状態において、アンテナ２０４と、第２の筐体３０１の回路基板３０４とが所定の間隔で対向することにより、容量結合する。これにより、携帯無線機２００は、スライドアップ状態において、良好なアンテナ特性を得ることが可能である。図１１（ａ）中の仮想線Ｂは、アンテナ２０４と回路基板３０４とが容量結合することにより、高周波電流が第１の筐体２０１側から第２の筐体３０１側へ供給される様子を模式的に示している。
【０００８】
また、スライドダウン状態（図１１（ｂ））において、携帯無線機２００は、図１０（ａ）と同様に、アンテナ２０４と第２の筐体３０１の回路基板３０４とが対向せず容量結合されない構成になっている。これにより、携帯無線機２００は、スライドダウン状態において、良好なアンテナ特性を得ることが可能である。
【先行技術文献】
【特許文献】
【０００９】
【特許文献１】特開２００６−６７３６１号公報
【発明の概要】
【発明が解決しようとする課題】
【００１０】
しかしながら、特許文献１に記載の携帯無線機２００は、第１の筐体２０１（又は回路基板２０３）の厚み方向に構造上の重なり部分（図１２中の囲い枠Ｃで示した部分）が存在している。なお、図１２は、図１０を基礎として、実際に高周波電流が供給される様子を仮想線Ｄにより模式的に示している。
【００１１】
このため、実際には、携帯無線機２００は、アンテナ２０４と第２の筐体３０１の回路基板３０４の接続部分を境界として、高周波電流が一方端側へ進む経路Ｄ１と、他方端側へ進む経路Ｄ２に分流してしまうことが考えられる。
【００１２】
そうすると、一方端側へ進む経路Ｄ１に供給される高周波電流と、第１の筐体２０１において生ずる高周波電流とが互いに打ち消しあう関係になり、アンテナ特性が劣化してしまう可能性がある。
【００１３】
本発明は、筐体内の回路基板や導体をアンテナの一部として用いる方式を採用しつつ、良好なアンテナ特性を確保することを一つの目的にしている。
【課題を解決するための手段】
【００１４】
本発明に係る携帯端末は、上記課題を解決するために、第１の筺体と、第２の筺体と、前記第１の筺体に配置され、第１の接点を有する第１の導電部と、前記第２の筺体に配置され、第２の接点を有する第２の導電部と、前記第１の筺体と前記第２の筺体のいずれか一方に配置され、前記第１の接点を介して前記第１の導電部に接続される第１のグランド部と、前記第２の接点を介して前記第２の導電部に接続される第１の給電部と、前記第１の給電部に接続され、前記第２の導電部により共振される第１の高周波信号を処理する第１の信号処理部と、を有する第１の回路部と、を有し、前記第１の導電部には、前記第２の導電部に重なり合う第１の領域が形成され、前記第２の導電部には、前記第１の導電部に重なり合う第２の領域が形成され、前記第１の導電部と前記第２の導電部の少なくとも一方には、前記第１の領域の前記第１の接点よりも一端側の領域又は前記第２の領域の前記第２の接点よりも他端側の領域への前記第１の高周波信号の伝送を遮断する第１の遮断部が接続される、ことを特徴とする。
【００１５】
また、上記携帯端末では、前記第１の導電部の前記第１の接点よりも他端側の領域における前記第１の高周波信号の伝送経路長と前記第２の導電部の前記第２の接点よりも一端側の領域における前記第１の高周波信号の伝送経路長とは略同一であることが好ましい。
【００１６】
また、上記携帯端末では、前記第１の筺体と前記第２の筺体のいずれか一方に配置され、前記第１の接点と前記第２の接点のいずれか一方を介して前記第１の導電部と前記第２の導電部のいずれか一方に接続される第２のグランド部と、前記第１の接点と前記第２の接点のいずれか他方を介して前記第１の導電部と前記第２の導電部のいずれか他方に接続される第２の給電部と、前記第２の給電部に接続され、前記第１の導電部と前記第２の導電部のいずれか他方により共振される第２の高周波信号を処理する第２の信号処理部と、を有する第２の回路部と、を有し、前記第１の導電部と前記第２の導電部の少なくとも一方には、前記第１の領域の前記第１の接点よりも他端側の領域又は前記第２の領域の前記第２の接点よりも一端側の領域への前記第２の高周波信号の伝送を遮断する第２の遮断部が接続されることが好ましい。
【００１７】
また、上記携帯端末では、前記第１の導電部の前記第１の接点よりも一端側の領域における前記第２の高周波信号の伝送経路長と前記第２の導電部の前記第２の接点よりも他端側の領域における前記第２の高周波信号の伝送経路長とは略同一であることが好ましい。
【００１８】
また、上記携帯端末では、前記第１の高周波信号の周波数と前記第２の高周波信号の周波数とは異なる周波数であることが好ましい。
【発明の効果】
【００１９】
本発明によれば、筐体内の回路基板や導体をアンテナとして用いる方式を採用しつつ、スライドアップ状態及びスライドダウン状態において良好なアンテナ特性を確保し、複数の周波数帯に対応することができる。
【図面の簡単な説明】
【００２０】
【図１】本発明に係る携帯電話装置がスライドダウン状態（第１の状態）のときの外観斜視図を示す。
【図２】本発明に係る携帯電話装置がスライドアップ状態（第２の状態）のときの外観斜視図を示す。
【図３】本発明に係る携帯電話装置の断面を模式的に示す図である。
【図４】本発明に係る携帯電話装置が第２の状態のときの断面を模式的に示す図である。
【図５】図４に示す表示部側筐体部の内部の構成を模式的に示す図である。
【図６】本発明に係る携帯電話装置の断面を模式的に示す図である。
【図７】本発明に係る携帯電話装置が第２の状態のときの断面を模式的に示す図である。
【図８】図７に示す表示部側筐体部と操作部側筐体部の内部の構成を模式的に示す図である。
【図９】図７に示す操作部側筐体部の内部の構成を模式的に示す図である。
【図１０】スライド機構を有する携帯無線機のスライドアップ状態とスライドダウン状態におけるそれぞれの断面を模式的に示す断面図である。
【図１１】スライド機構を有する携帯無線機のスライドアップ状態とスライドダウン状態におけるそれぞれの断面を模式的に示す断面図である。
【図１２】スライド機構を有する携帯無線機のスライドアップ状態における断面を模式的に示す断面図である。
【発明を実施するための形態】
【００２１】
以下、本発明の実施の形態について説明する。図１及び図２は、本発明に係る携帯端末の一例である携帯電話装置１の外観斜視図を示す。また、本実施の形態では、携帯電話装置１について説明するが、本発明は携帯電話装置に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２２】
携帯電話装置１は、操作部側筐体部２（第１の筐体）と、表示部側筐体部３（第２の筐体）と、を備えて構成される。操作部側筐体部２は、表面部１０に、操作キー群１１と、携帯電話装置１の使用者が通話時に発した音声が入力されるマイク１２と、を備えて構成される。操作キー群１１は、電話番号の数字やメール等の文字等を入力するための入力操作ボタンにより構成されている。
【００２３】
また、表示部側筐体部３は、表面部２０に、各種情報を表示するためのディスプレイ２１と、通話の相手側の音声を出力する音声出力部２２と、各種操作における決定やスクロール等を行う決定操作ボタン２３と、から構成されている。
【００２４】
なお、携帯電話装置１は、上述した以外にも他の構成要素により構成されている。他の構成要素は、例えば、被写体を撮像するＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ等により構成される撮像部や、音楽等を外部に出力するスピーカ等である。
【００２５】
また、操作部側筐体部２の上端部と表示部側筐体部３の下端部とは、スライド機構を有する連結部（不図示）を介して連結されている。したがって、操作部側筐体部２と表示部側筐体部３を互いに重ね合わせ、表示部側筐体部３で操作部側筐体部２の上面を覆う状態（スライドダウン状態であって、以下、第１の状態という。）と（図１を参照。）、表示部側筐体部３を操作部側筐体部２に対して長手方向へスライドさせて操作部側筐体部２の覆われていた部分（操作キー群１１とマイク１２）が露出する状態（スライドアップ状態であって、以下、第２の状態という。）を自在に遷移することができる（図２を参照。）。
【００２６】
なお、図１は、スライド式の携帯電話装置の形態を示しているが、本発明に係る携帯電話装置の形態としては特にこれに限られず、例えば、連結機構を有しないストレート形状等であっても実現可能である。
【００２７】
本発明に係る携帯電話装置１では、筐体内の回路基板や導体をアンテナの一部として用いる方式を採用しつつ、第１の状態及び第２の状態において良好なアンテナ特性を確保し、複数の周波数帯に対応する機能を有している。
【００２８】
＜第１の構成＞
ここで、当該機能を発揮するための構成について説明する。携帯電話装置１は、図３に示すように、操作部側筐体部２と、表示部側筐体部３と、第１の導電部２ｂと、第２の導電部３ｂと、第１の回路部２ｆと、第１の高周波遮断部２ｈを備える。
【００２９】
第１の導電部２ｂは、操作部側筐体部２に配置され、第１の接点２ａを有する。第２の導電部３ｂは、表示部側筐体部３に配置され、第２の接点３ａを有する。
【００３０】
第１の回路部２ｆは、操作部側筐体部２と表示部側筐体部３のいずれか一方に配置され、第１の接点２ａを介して第１の導電部２ｂに接続される第１のグランド部２ｃと、第２の接点３ａを介して第２の導電部３ｂに接続される第１の給電部２ｄと、第１の給電部２ｄに接続され、第２の導電部３ｂにより共振される第１の高周波信号を処理する第１の信号処理部２ｅと、を有する。
【００３１】
第１の導電部２ｂには、第２の導電部３ｂに重なり合う第１の領域Ｘが形成される。第２の導電部３ｂには、第１の導電部２ｂに重なり合う第２の領域Ｙが形成される。第１の導電部２ｂと第２の導電部３ｂの少なくとも一方には、第１の領域Ｘの第１の接点２ａよりも一端側の領域Ｘ１又は第２の領域Ｙの第２の接点３ａよりも他端側の領域Ｙ１への第１の高周波信号の伝送を遮断する第１の遮断部２ｇが接続される。また、第１の高周波遮断部２ｈは、第１の高周波信号を遮断する。
【００３２】
このようにして、携帯電話装置１は、操作部側筐体部２側から表示部側筐体部３側へ供給される第１の高周波信号による打ち消しあいが抑制される構成になるので、例えば、第１の導電部２ｂをアンテナのグランド部として利用し、第２の導電部３ｂをアンテナの放射素子として利用しても、アンテナの利得を低減させず、良好なアンテナ特性を得ることができる。
【００３３】
＜第１の実施例＞
つぎに、上述した第１の構成の具体的な実施例について説明する。操作部側筐体部２は、図４に示すように、第１のアンテナ部３１と、第１の接続部３２と、第１の回路部３８と、第１の遮断部３９とを備える。
【００３４】
第１のアンテナ部３１は、第１の周波数で変調された第１の信号Ｓ１により通信を行う。第１の回路部３８は、第１の信号源３３と、第１のアンテナ部３１に接続される第１の給電部３４と、第１の接続部３２に接続される第２の給電部３５と、第１の信号源３３に第１の給電部３４又は第２の給電部３５を切り替えて接続する第１の切替部３６と、第２の状態に遷移した場合に、第２の給電部３５と第１の信号源３３を接続するように第１の切替部３６を制御する第１の制御部３７とを有する。
【００３５】
第１の遮断部３９は、第１の接続部３２と第１の回路部３８との間に配置され、第１の信号Ｓ１を遮断する。また、第１の遮断部３９は、第１の信号Ｓ１以外の信号（例えば、直流信号）の通過を抑制する。
【００３６】
表示部側筐体部３は、第２の回路部４１と、第３の回路部４２と、第２の接続部４３と、第２の遮断部４４と、を備える。
【００３７】
また、第２の接続部４３は、図４に示すように、第２の回路部４１と第３の回路部４２との間に配置され、第２の状態に遷移した場合に、第１の接続部３２に高周波的に接続される。
【００３８】
第２の遮断部４４は、第３の回路部４２と第２の接続部４３との間に配置され、第２の状態に遷移し、第１の接続部３２と第２の接続部４３とが高周波的に接続されたときに、第１の接続部３２を介して供給される第１の信号Ｓ１を遮断する。
【００３９】
第２の回路部４１は、第２の状態に遷移した場合に、第１の回路部３８とは対向しない位置に配置され、第１の信号Ｓ１により通信を行う。
【００４０】
また、図４に示す例においては、第１の接続部３２と第２の接続部４３とは、物理的に接続されているように示されているが、これに限られない。例えば、第１の接続部３２と第２の接続部４３は、表面が導電体によって形成されており、携帯電話装置１が第２の状態に遷移したときに、所定の距離を置いて対向することによって容量結合するように構成されても良い。このような構成によれば、第１の信号Ｓ１は、容量結合を介して第１の回路部３８から第２の回路部４１に供給される。
【００４１】
なお、本実施例においては、第１の回路部３８の一部は、上述した第１の導電部２ｂに相当する。また、第２の回路部４１と第３の回路部４２は、上述した第２の導電部３ｂに相当する。また、第１の回路部３８の一部は、上述した第１の回路部２ｆに相当する。また、第１の接続部３２は、上述した第１の接点２ａに相当するものである。また、第２の接続部４３は、上述した第２の接点３ａに相当する。また、上述した第１の給電部２ｄは、第１の切替部３６が切り替えられ、第１の信号源３３と第２の給電部３５とが接続されたときの構成に相当するものである。また、第１の信号Ｓ１は、上述した第１の高周波信号に相当する。また、第２の遮断部４４又は第３の遮断部５８は、上述した第１の遮断部２ｇに相当する。
【００４２】
つぎに、表示部側筐体部３の内部の構成を模式的に図５に示す。表示部側筐体部３は、第２の回路部４１と第３の回路部４２とが第２の遮断部４４により接続されている。また、第２の遮断部４４は、例えば、図５（ｂ）に示すように、所定の容量を有するコンデンサとコイルとにより構成される並列共振回路によって構成されている。本実施例においては、第２の遮断部４４は、第１の信号Ｓ１を遮断するので、第２の接続部４３に供給される第１の信号Ｓ１の大部分は、第２の回路部４１に供給される。また、第１の信号Ｓ１以外の信号（例えば、直流信号）は、第２の遮断部４４により遮断されないので、第２の回路部４１と第３の回路部４２との間では、相互に信号が供給される。なお、図５（ａ）においては、第２の回路部４１と第３の回路部４２とが分離独立して示されているが、これに限られず、一つの回路部として一体的に構成されていても良い。
【００４３】
携帯電話装置１の操作部側筐体部２と表示部側筐体部３とがスライドされることにより、第１の状態に遷移した場合と第２の状態に遷移した場合における第１の制御部３７の動作について詳細に説明する。
第１の状態の場合には、携帯電話装置１は、第１の接続部３２と第２の接続部４３とが高周波的に接続されない。この状態においては、第１の制御部３７は、第１の給電部３４と第１の信号源３３とが電気的に導通するように第１の切替部３６を切り替え制御する。したがって、第１の状態においては、携帯電話装置１は、第１のアンテナ部３１により外部機器と通信を行う。
【００４４】
また、第２の状態の場合には、携帯電話装置１は、第１の接続部３２と第２の接続部４３とが高周波的に接続される。この状態においては、第１の制御部３７は、第２の給電部３５と第１の信号源３３とが電気的に導通するように第１の切替部３６を切り替え制御する。第１の回路部３８で発生した高周波信号（第１の信号Ｓ１に相当する）は、第２の給電部３５、第１の接続部３２及び第２の接続部４３を介して第２の回路部４１に供給される。このとき、第１の信号Ｓ１は、第２の遮断部４４により遮断されるので、第３の回路部４２には供給されない。
【００４５】
このようにして、携帯電話装置１は、第２の状態において、操作部側筐体部２側から表示部側筐体部３側へ供給される第１の信号Ｓ１による打ち消しあいが抑制される構成になるので（図４（ｂ）を参照）、第１の回路部３８をアンテナのグランド部として利用し、第２の回路部４１をアンテナの放射素子として利用しても、アンテナの利得を低減させず、良好なアンテナ特性を得ることができる。
【００４６】
なお、本実施例では、給電する導体や高周波的に遮断する導体として、基板導体を用いて説明したが、導体は基板でなくても良く、シールドケースや補強用板金、さらには他の用途に使用するＦＰＣ基板等であっても良い。
【００４７】
また、携帯電話装置１は、第１の導電部２ｂの第１の接点２ａよりも他端側の領域における第１の高周波信号の伝送経路長Ｌ１と、第２の導電部３ｂの第２の接点３ａよりも一端側の領域における第１の高周波信号の伝送経路長Ｌ２とは略同一であることが好ましい。
【００４８】
このように構成されることにより、携帯電話装置１では、アンテナの放射素子とグランド部とのバランスを良好にでき、アンテナ特性の劣化を抑制することができる。
【００４９】
＜第２の構成＞
また、携帯電話装置１は、図６に示すように、第２の回路部３ｆと、第２の高周波遮断部３ｈをさらに備える構成であっても良い。第２の回路部３ｆは、第２のグランド部３ｃと、第２の給電部３ｄと、第２の信号処理部３ｅとを有する。第２のグランド部３ｃは、操作部側筐体部２と表示部側筐体部３のいずれか一方に配置され、第１の接点２ａと第２の接点３ａのいずれか一方を介して第１の導電部２ｂと第２の導電部３ｂのいずれか一方に接続される。第２の給電部３ｄは、第１の接点２ａと第２の接点３ａのいずれか他方を介して第１の導電部２ｂと第２の導電部３ｂのいずれか他方に接続される。
第２の信号処理部３ｅは、第２の給電部３ｄに接続され、第１の導電部２ｂと第２の導電部３ｂのいずれか他方により共振される第２の高周波信号を処理する。
また、第２の構成においては、第１の高周波遮断部２ｈと第２の高周波遮断部３ｈは、第１の高周波信号及び第２の高周波信号を遮断する。
【００５０】
このように構成される場合には、携帯電話装置１は、第１の導電部２ｂと第２の導電部３ｂの少なくとも一方には、第１の領域Ｘの第１の接点２ａよりも他端側の領域Ｘ２又は第２の領域Ｙの第２の接点３ａよりも一端側の領域Ｙ２への第２の高周波信号の伝送を遮断する第２の遮断部３ｇが接続される。
【００５１】
このようにして、携帯電話装置１は、操作部側筐体部２側から表示部側筐体部３側へ供給される第１の高周波信号及び第２の高周波信号による打ち消しあいが抑制される構成になるので（図７（ｂ）を参照）、例えば、第１の導電部２ｂを複数のアンテナのグランド部として利用し、第２の導電部３ｂを複数のアンテナの放射素子として利用しても、複数のアンテナそれぞれの利得を低減させず、それぞれ良好なアンテナ特性を得ることができる。
【００５２】
＜第２の実施例＞
つぎに、上述した第２の構成の具体的な実施例について説明する。操作部側筐体部２は、図７及び図８に示すように、第２のアンテナ部５１と、第４の回路部５７と、第３の遮断部５８と、第４の遮断部５９とを備える。
【００５３】
第２のアンテナ部５１は、第２の周波数で変調された第２の信号Ｓ２により通信を行う。第４の回路部５７は、第２の信号源５２と、第２のアンテナ部５１に接続される第３の給電部５３と、第１の接続部３２に接続される第４の給電部５４と、第２の信号源５２に第３の給電部５３又は第４の給電部５４を切り替えて接続する第２の切替部５５と、第２の状態に遷移した場合に、第４の給電部５４と第２の信号源５２を接続するように第２の切替部５５を制御する第２の制御部５６とを有する。なお、第２の制御部５６は、第１の制御部３７と一体的に構成されていても良い。
【００５４】
第３の遮断部５８は、第１の接続部３２と第４の回路部５７との間に配置され、第１の信号１と第２の信号２を遮断する。第４の遮断部５９は、第１の回路部３８と第４の回路部５７との間に配置され、第１の信号Ｓ１と第２の信号Ｓ２を遮断する。
【００５５】
このような構成においては、第１の遮断部３９は、第１の信号Ｓ１とともに第２の信号Ｓ２も遮断する。
【００５６】
また、表示部側筐体部３は、図７及び図８に示すように、第５の遮断部６１を備える。第５の遮断部６１は、第２の回路部４１と第２の接続部４３との間に配置され、第２の状態に遷移し、第１の接続部３２と第２の接続部４３とが高周波的に接続されたときに、第１の接続部３２を介して供給される第２の信号Ｓ２を遮断する。
【００５７】
このような構成においては、第３の回路部４２は、第２の状態に遷移した場合に、第４の回路部５７とは対向しない位置に配置され、第２の信号Ｓ２により通信を行う。
【００５８】
また、携帯電話装置１は、第１の導電部２ｂの第１の接点２ａよりも一端側の領域における第２の高周波信号の伝送経路長Ｌ３と、第２の導電部３ｂの第２の接点３ａよりも他端側の領域における第２の高周波信号の伝送経路長Ｌ４とは略同一であることが好ましい。
【００５９】
このように構成されることにより、携帯電話装置１では、複数のアンテナにおいて、放射素子とグランド部とのバランスを良好にでき、それぞれのアンテナ特性の劣化を抑制することができる。
【００６０】
なお、本実施例においては、上述した第２の給電部３ｄは、第２の切替部５５が切り替えられ、第２の信号源５２と第４の給電部５４とが接続されたときの構成に相当するものである。また、第２の信号Ｓ２は、上述した第２の高周波信号に相当する。第４の回路部５７は、上述した第２の回路部３ｆに相当する。第１の遮断部３９又は第５の遮断部６１は、上述した第２の遮断部３ｇに相当する。
【００６１】
また、携帯電話装置１では、第１の高周波信号（第１の信号Ｓ１）の周波数と第２の高周波信号（第２の信号Ｓ２）の周波数とは異なる周波数であることが好ましい。例えば、第１の高周波信号の周波数を８００ＭＨｚとし、第２の高周波信号の周波数を２ＧＨｚとすると、第１の遮断部２ｇは、８００ＭＨｚを遮断し、第２の遮断部３ｇは、２ＧＨｚを遮断するように設定する。このように設定すると、第１の高周波信号は、打ち消しあいが抑制されて第１の導電部２ｂから第２の導電部３ｂへ供給され、第２の高周波信号は、打ち消しあいが抑制されて第１の導電部２ｂから第２の導電部３ｂへ供給される。
【００６２】
このように構成されることにより、携帯電話装置１は、第１の導電部２ｂと第２の導電部３ｂを有効活用しつつ、複数バンド化を実現することができる。
【００６３】
＜第１の制御部３７と第２の制御部５６の動作について＞
つぎに、携帯電話装置１の操作部側筐体部２と表示部側筐体部３とがスライドされることにより、第１の状態に遷移した場合と第２の状態に遷移した場合における第１の制御部３７と第２の制御部５６の動作について詳細に説明する。
【００６４】
第１の状態の場合には、携帯電話装置１は、第１の接続部３２と第２の接続部４３とが高周波的に接続されない。この状態においては、第１の制御部３７は、第１の給電部３４と第１の信号源３３とが電気的に導通するように第１の切替部３６を切り替え制御する。また、第２の制御部５６は、第３の給電部５３と第２の信号源５２とが電気的に導通するように第２の切替部５５を切り替え制御する。したがって、第１の状態においては、携帯電話装置１は、第１のアンテナ部３１と第２のアンテナ部５１により外部機器と通信を行う。
【００６５】
また、第２の状態の場合には、携帯電話装置１は、第１の接続部３２と第２の接続部４３とが高周波的に接続される。この状態においては、第１の制御部３７は、第２の給電部３５と第１の信号源３３とが電気的に導通するように第１の切替部３６を切り替え制御する。第１の回路部３８で発生した高周波信号（第１の信号Ｓ１に相当する）は、第２の給電部３５、第１の接続部３２及び第２の接続部４３を介して第２の回路部４１に供給される。このとき、第１の信号Ｓ１は、第２の遮断部４４により遮断されるので、第３の回路部４２に供給されない。
【００６６】
このようにして、携帯電話装置１は、第２の状態において、操作部側筐体部２側から表示部側筐体部３側へ供給される第１の信号Ｓ１による打ち消しあいが抑制される構成になるので（図７（ｂ）を参照）、第１の回路部３８及び第２の回路部４１をアンテナの放射素子として利用しても、アンテナの利得を低減させず、良好なアンテナ特性を得ることができる。
【００６７】
また、第２の状態においては、第２の制御部５６は、第４の給電部５４と第２の信号源５２とが電気的に導通するように第２の切替部５５を切り替え制御する。第４の回路部５７で発生した高周波信号（第２の信号Ｓ２に相当する）は、第４の給電部５４、第１の接続部３２及び第２の接続部４３を介して第３の回路部４２に供給される。このとき、第２の信号Ｓ２は、第５の遮断部６１により遮断されるので、第２の回路部４１に供給されない。
【００６８】
このようにして、携帯電話装置１は、第２の状態において、操作部側筐体部２側から表示部側筐体部３側へ供給される第２の信号Ｓ２による打ち消しあいが抑制される構成になるので（図７（ｂ）を参照）、第４の回路部５７及び第３の回路部４２をアンテナとして利用しても、アンテナの利得を低減させず、良好なアンテナ特性を得ることができる。
【００６９】
なお、図８に示す例においては、第２の回路部４１、第３の回路部４２、第２の接続部４３、第２の遮断部４４、及び第５の遮断部６１は、回路部６２に実装されているものとして示したが、これに限られない。
【００７０】
また、第４の遮断部５９は、図９に示すように、高周波信号である第１の信号Ｓ１及び第２の信号Ｓ２を遮断しつつ、直流信号を導通するように一定幅の接続線（ＧＮＤ線６０）で構成されている。
このように構成されることにより、携帯電話装置１は、第４の遮断部５９を有しない構成にすることができる。
【００７１】
＜図７に示す構成について＞
ここで、図７（ａ）（ｂ）に示す構成について、さらに詳述する。第４の回路部５７は、バッテリ（不図示）が接続される第１の回路部３８と第１の遮断部３９及び第３の遮断部５８により高周波的に遮断されている（第１の信号Ｓ１及び第２の信号Ｓ２が遮断されている）。なお、第１の回路部３８は、バッテリが接続されていることから、第１の回路部３８のＧＮＤが基準電位になる。第４の回路部５７に配置されている第２の信号源５２は、第２の信号Ｓ２を生成する。
そこで、携帯電話装置１では、第２の信号Ｓ２をより安定してするために第４の回路部５７を第４の遮断部５９によって第１の回路部３８に接続する構成をとっている。第４の遮断部５９は、回路動作上問題ない最低限の範囲で第１の信号Ｓ１及び第２の信号Ｓ２を遮断する。
具体的には、第１の遮断部３９のインピーダンスＺ１と、第３の遮断部５８のインピーダンスＺ２と、第４の遮断部５９のインピーダンスＺ３の関係を以下の条件に設定する。
（条件）Ｚ１＝Ｚ２＞Ｚ３
【００７２】
また、携帯電話装置１の性能やコストにおいて許容可能な範囲で適宜選択可能である。
【００７３】
また、携帯電話装置１は、図８に示すように、第１の信号源３３及び第２の信号源５２のそれぞれに切替部（第１の切替部３６及び第２の切替部５５）を接続し、第１の接続部３２が配置されている回路基板とアンテナ（第１のアンテナ部３１及び第２のアンテナ部５１）への給電を選択可能な構成になっている。このような構成により、携帯電話装置１は、スライドダウン状態（第１の状態）においては、アンテナ（第１のアンテナ部３１及び第２のアンテナ部５１）へ給電先を切り替えることにより、良好なアンテナ特性が得ることができる。また、携帯電話装置１は、スライドアップ状態（第２の状態）においては、第２の回路部４１及び第３の回路部４２へ給電先を切り替えることにより、良好なアンテナ特性を得ることができる。
【００７４】
なお、本実施例では、切替部を第１の切替部３６及び第２の切替部５５としたがこれに限られず、分波器によって構成されても良い。
【００７５】
また、本実施例では、第４の遮断部５９を用いて、第４の回路部５７と第１の回路部３８との間において、高周波的に遮断（第１の信号Ｓ１及び第２の信号Ｓ２を遮断）する旨説明したが、これに限られず、図９に示すように、高周波遮断部を用いず、第４の回路部５７と第１の回路部３８との間を細いＧＮＤ線６０により結線することによっても同様の効果を得ることができる。ＧＮＤ線６０の幅を適宜調整することによって、高周波遮断部（第４の遮断部５９）を用いた場合と同様の効果を奏することが可能である。
【００７６】
また、本実施例では、第１の接続部３２と第２の接続部４３とを直接的に接続する構成により説明したが、これに限られず、板金やアンテナを経由した容量結合による構成であっても良い。
【００７７】
また、導体は、回路部（回路基板）に限定されず、スピーカをアンテナとして利用したり、ＦＰＣ（フレキシブル基板）等で構成されるキー操作部等を用いても良い。また、本実施例では、第１の接続部３２は、回路基板上に配置されているものとして説明したが、これに限られず、回路基板上に配置されていなくても良い。
【符号の説明】
【００７８】
１  携帯電話装置
２  操作部側筐体部
２ａ  第１の接点
２ｂ  第１の導電部
２ｃ  第１のグランド部
２ｄ  第１の給電部
２ｅ  第１の信号処理部
２ｆ  第１の回路部
２ｇ  第１の遮断部
２ｈ  第１の高周波遮断部
３  表示部側筐体部
３ａ  第２の接点
３ｂ  第２の導電部
３ｃ  第２のグランド部
３ｄ  第２の給電部
３ｅ  第２の信号処理部
３ｆ  第２の回路部
３ｇ  第２の遮断部
３ｈ  第２の高周波遮断部
３１  第１のアンテナ部
３２  第１の接続部
３３  第１の信号源
３４  第１の給電部
３５  第２の給電部
３６  第１の切替部
３７  第１の制御部
３８  第１の回路部
３９  第１の遮断部
４１  第２の回路部
４２  第３の回路部
４３  第２の接続部
４４  第２の遮断部
５１  第２のアンテナ部
５２  第２の信号源
５３  第３の給電部
５４  第４の給電部
５５  第２の切替部
５６  第２の制御部
５７  第４の回路部
５８  第３の遮断部
５９  第４の遮断部
６０  ＧＮＤ線
６１  第５の遮断部
【図１】
2010232923.tif 000003
【図２】
2010232923.tif 000004
【図３】
2010232923.tif 000005
【図４】
2010232923.tif 000006
【図５】
2010232923.tif 000007
【図６】
2010232923.tif 000008
【図７】
2010232923.tif 000009
【図８】
2010232923.tif 000010
【図９】
2010232923.tif 000011
【図１０】
2010232923.tif 000012
【図１１】
2010232923.tif 000013
【図１２】
2010232923.tif 000014